(57)【要約】【課題】通信断からの復旧時間を短縮化する。【解決手段】ＯＬＴ１２が、論理リンクの確立後、ＯＬＴとの通信のための初期設定が完了しているか否かを示す初期設定フラグを通信断ＯＮＵ１４２のフラグ記憶部６６から読み出し、初期設定フラグから、初期設定の「完了」又は「未完了」を判断する設定判断部３８ａと、初期設定が「未完了」と判断された場合に、通信断ＯＮＵに対する初期設定を行うとともに、初期設定の完了後に初期設定フラグを「完了」に変化させる初期設定部３８ｂと、初期設定が「完了」と判断された場合に、通信断ＯＮＵとの間で通信の確立を行う局側通信確立制御部４２とを備える。【選択図】図２
2011130250.tif 000002
【特許請求の範囲】
【請求項１】
局側端末と複数の加入者側端末とを光カプラを介在させて光ファイバで接続し、光通信を行うＧＥＰＯＮ（Ｇｉｇａｂｉｔ  Ｅｒｔｈｅｒｎｅｔ（登録商標）  Ｐａｓｓｉｖｅ  Ｏｐｔｉｃａｌ  Ｎｅｔｗｏｒｋ）システムであって、
前記局側端末は、
通信が切断された前記加入者側端末としての通信断加入者側端末を検出するとともに、当該通信断加入者側端末との間で論理リンクを再度確立する局側リンク確立制御部と、
前記論理リンクの確立に応答して、前記局側端末との通信のための初期設定が完了しているか否かを示す初期設定フラグを前記通信断加入者側端末のフラグ記憶部から読み出し、該初期設定フラグから、初期設定の「完了」又は「未完了」を判断する設定判断部と、
前記初期設定が「未完了」と判断された場合に、該「未完了」との判断に応答して、当該通信断加入者側端末に対する初期設定を行うとともに、該初期設定の完了後に前記初期設定フラグを「完了」に変化させる初期設定部と、
前記初期設定が「完了」と判断された場合に、該「完了」との判断に応答して、当該通信断加入者側端末との間で通信の確立を行う局側通信確立制御部とを備え、
前記加入者側端末は、
給電されている間だけ初期設定情報を記憶することができる初期設定記憶部と、
前記局側端末と前記通信断加入者側端末との間の通信断の復旧に応答して、前記局側リンク確立制御部との間で論理リンクを確立する加入者側リンク確立制御部と、
前記初期設定記憶部への前記初期設定情報の記憶の完了又は未完了を、初期設定の「完了」又は「未完了」として表す初期設定フラグを記憶するフラグ記憶部と、
前記設定判断部による前記初期設定が完了したとの判断に基づいて発生した前記局側通信確立制御部からの通信の確立の知らせに応答して、前記局側通信確立制御部との間で通信の確立を行う加入者側通信確立制御部と
を備えることを特徴とするＧＥＰＯＮシステム。
【請求項２】
局側端末と複数の加入者側端末とを光カプラを介在させて光ファイバで接続し、光通信を行うＧＥＰＯＮシステムに用いる当該局側端末であって、
通信が切断された前記加入者側端末としての通信断加入者側端末を検出するとともに、当該通信断加入者側端末との間で論理リンクを再度確立する局側リンク確立制御部と、
前記論理リンクの確立に応答して、前記局側端末との通信のための初期設定が完了しているか否かを示す初期設定フラグを前記通信断加入者側端末のフラグ記憶部から読み出し、該初期設定フラグから、初期設定の「完了」又は「未完了」を判断する設定判断部と、
前記初期設定が「未完了」と判断された場合に、当該通信断加入者側端末に対する初期設定を行うとともに、該初期設定の完了後に前記初期設定フラグを「完了」に変化させる初期設定部と、
前記初期設定が「完了」と判断された場合に、当該通信断加入者側端末との間で通信の確立を行う局側通信確立制御部と
を備えることを特徴とする局側端末。
【請求項３】
局側端末と複数の加入者側端末とを光カプラを介在させて光ファイバで接続し、光通信を行うＧＥＰＯＮシステムに用いる当該加入者側端末であって、
前記局側端末との通信のための初期設定情報を、給電されている間だけ記憶することができる初期設定記憶部と、
前記局側端末との通信が切断された前記加入者側端末としての通信断加入者側端末が、前記局側端末との通信断が復旧した後に、該復旧に応答して、前記局側端末に設けられた局側リンク確立制御部との間で論理リンクを確立する加入者側リンク確立制御部と、
前記初期設定記憶部への前記初期設定情報の記憶の完了又は未完了を、当該加入者側端末の初期設定の「完了」又は「未完了」として表す初期設定フラグを記憶するフラグ記憶部と、
前記局側端末の設定判断部が前記フラグ記憶部から読み出したフラグから前記初期設定が完了したとの判断に基づいて発生した前記局側端末からの通信の確立の知らせに応答して、前記局側端末に設けられた局側通信確立制御部との間で通信の確立を行う加入者側通信確立制御部と
を備えることを特徴とする加入者側端末。
【請求項４】
局側端末と複数の加入者側端末とを光カプラを介在させて光ファイバで接続し、光通信を行うＧＥＰＯＮシステムにおける通信断からの復旧方法であって、
前記局側端末の局側リンク確立制御部が、通信断加入者側端末の加入者側リンク確立制御部との間で論理リンクを再度確立する工程と、
前記論理リンクの確立に応答して、前記局側端末の設定判断部が、前記局側端末との通信のための初期設定が完了しているか否かを示す初期設定フラグを前記通信断加入者側端末のフラグ記憶部から読み出し、初期設定の「完了」又は「未完了」を判断する工程と、
前記初期設定が「未完了」と判断された場合に、該「未完了」の判断に応答して、当該通信断加入者側端末に対する初期設定を行うとともに、該初期設定の完了後に前記初期設定フラグを「完了」に変化させる工程と、
前記局側端末の局側通信確立制御部が、初期設定フラグが「完了」と判断された場合に、該「完了」の判断に応答して、当該通信断加入者側端末の加入者側通信確立制御部との間で通信の確立を行う工程と
を備えることを特徴とするＧＥＰＯＮシステムにおける通信断からの復旧方法。
【発明の詳細な説明】
【技術分野】
【０００１】
この発明は、通信断からの復旧時間の短縮化を図ったＧＥＰＯＮ（Ｇｉｇａｂｉｔ  Ｅｒｔｈｅｒｎｅｔ（登録商標）  Ｐａｓｓｉｖｅ  Ｏｐｔｉｃａｌ  Ｎｅｔｗｏｒｋ）システム、このＧＥＰＯＮシステムに用いられる局側端末及び加入者側端末、並びに、このＧＥＰＯＮシステムにおける通信断からの復旧方法に関する。
【背景技術】
【０００２】
光加入者線局側装置（Ｏｐｔｉｃａｌ  Ｌｉｎｅ  Ｔｅｒｍｉｎａｌ：以下、単に「ＯＬＴ」又は「局側端末」とも称する。）と、複数の光加入者線終端装置（Ｏｐｔｉｃａｌ  Ｎｅｔｗｏｒｋ  Ｕｎｉｔ：以下、単に「ＯＮＵ」又は「加入者側端末」とも称する。）とを光ファイバで接続する光通信システムとしてＰＯＮ（Ｐａｓｓｉｖｅ  Ｏｐｔｉｃａｌ  Ｎｅｔｗｏｒｋ）システムが知られている。
【０００３】
このＰＯＮシステムの発展型として、ＬＡＮ（Ｌｏｃａｌ  Ａｒｅａ  Ｎｅｔｗｏｒｋ）で用いられていたＧｉｇａｂｉｔ  Ｅｒｔｈｅｒｎｅｔ（登録商標）技術を応用し、ＯＬＴからＯＮＵまでを１Ｇｂｐｓ以上の通信速度で接続するＧＥＰＯＮシステムが実用化されている。
【０００４】
ところで、ＧＥＰＯＮシステムで使用されるＯＮＵには２つのタイプが存在し、これらの２タイプのＯＮＵが混在して用いられる。第１は不揮発性タイプであり、ＶＬＡＮ（Ｖｉｒｔｕａｌ  ＬＡＮ）設定や、Ｒａｔｅ制御関連設定などの通信に関する初期設定情報を不揮発性メモリに記憶する。第２は揮発性タイプであり、これらの初期設定情報を不揮発性メモリではなく、揮発性メモリに記憶する。
【０００５】
つまり、不揮発性タイプのＯＮＵは、停電等により給電が絶たれても初期設定情報を保持できるが、揮発性タイプのＯＮＵは、給電が絶たれると初期設定情報が失われてしまう。従って、初期設定に関する限り、不揮発性タイプのＯＮＵはメンテナンスフリーであり、再設定の必要がない。それに対して、揮発性タイプのＯＮＵは、停電等の後に初期設定をやり直す必要がある。
【０００６】
ＯＮＵの初期設定をＯＬＴから実行する場合には、ＯＬＴは、初期設定情報を書き込んだＯＡＭ（Ｏｐｅｒａｔｉｏｎｓ，Ａｄｍｉｎｉｓｔｒａｔｉｏｎ，Ｍａｉｎｔｅｎａｎｃｅ）フレームをＯＮＵへと送信する。（例えば、非特許文献１参照。）
【先行技術文献】
【非特許文献】
【０００７】
【非特許文献１】ＩＥＥＥ８０２．３ａｈ  Ｓｔｄ
【発明の概要】
【発明が解決しようとする課題】
【０００８】
しかしながら、ＩＥＥＥ８０２．３ａｈ標準では、このＯＡＭフレームの送信速度は、最大でも１０フレーム／秒に制限されている。そのため、初期設定項目が多岐にわたる場合や、ＯＮＵの分岐接続数が多い場合には、ＯＮＵに対する初期設定に長時間を要し、結果として通信再開が遅れてしまう。
【０００９】
さらに、従来型のＯＬＴはＯＮＵの上述したタイプを区別できなかった。そのため、停電や伝送路異常により配下のＯＮＵとの通信が切断された場合、ＯＬＴは、通信の再開時に、ＯＮＵのタイプに関わらず、全ＯＮＵに対して初期設定をやり直していた。
【００１０】
発明者は、鋭意検討の結果、初期設定が完了しているか否かを示すフラグをＯＮＵに記憶させておき、通信断からの復旧時に、ＯＬＴがこのフラグの値を調査して初期設定を行うか否かを判断することにより、上述した問題を解決できることに想到した。
【００１１】
従って、この発明の目的は、通信断からの復旧時間を短縮化できるＧＥＰＯＮシステム、ＧＥＰＯＮシステムに用いられる局側端末及び加入者側端末、並びに、通信断からの復旧方法を提供することにある。
【課題を解決するための手段】
【００１２】
上述した目的の達成を図るために、この発明のＧＥＰＯＮシステムは、局側端末と複数の加入者側端末とを光カプラを介在させて光ファイバで接続し、光通信を行う構成において、下記の点に特徴を有する。
【００１３】
局側端末は、局側リンク確立制御部と、設定判断部と、初期設定部と、局側通信確立制御部とを備える。
【００１４】
局側リンク確立制御部は、通信が切断された加入者側端末としての通信断加入者側端末を検出するとともに、通信断加入者側端末との間で論理リンクを再度確立する。
【００１５】
設定判断部は、論理リンクの確立に応答して、局側端末との通信のための初期設定が完了しているか否かを示す初期設定フラグを通信断加入者側端末のフラグ記憶部から読み出し、初期設定フラグから、初期設定の「完了」又は「未完了」を判断する。
【００１６】
初期設定部は、初期設定が「未完了」と判断された場合に、該「未完了」との判断に応答して、通信断加入者側端末に対する初期設定を行うとともに、初期設定の完了後に初期設定フラグを「完了」に変化させる。
【００１７】
局側通信確立制御部は、初期設定が「完了」と判断された場合に、該「完了」との判断に応答して、通信断加入者側端末との間で通信の確立を行う。
【００１８】
加入者側端末は、初期設定記憶部と、加入者側リンク確立制御部と、フラグ記憶部と、加入者側通信確立制御部とを備える。
【００１９】
初期設定記憶部は、給電されている間だけ初期設定情報を記憶することができる。
【００２０】
加入者側リンク確立制御部は、局側端末と通信断加入者側端末との間の通信断の復旧に応答して、局側リンク確立制御部との間で論理リンクを確立する。
【００２１】
フラグ記憶部は、初期設定記憶部への初期設定情報の記憶の完了又は未完了を、初期設定の「完了」又は「未完了」として表す初期設定フラグを記憶する。
【００２２】
加入者側通信確立制御部は、設定判断部による初期設定が完了したとの判断に基づいて発生した局側通信確立制御部からの通信の確立の知らせに応答して、局側通信確立制御部との間で通信の確立を行う。
【００２３】
この発明のＧＥＰＯＮシステムでは、加入者側端末は、初期設定の有無を示す初期設定フラグをフラグ記憶部に記憶している。そして、局側端末の設定判断部は、通信断からの復旧時に、通信断加入者側端末からこの初期設定フラグを読み出し、加入者側端末に対する初期設定の必要性を判断する。次いで、初期設定が必要と判断された場合のみに局側端末の初期設定部は、通信断加入者側端末に対して初期設定を行う。
【００２４】
この発明の局側端末は、局側端末と複数の加入者側端末とを光カプラを介在させて光ファイバで接続し、光通信を行うＧＥＰＯＮシステムに用いられ、局側リンク確立制御部と、設定判断部と、初期設定部と、局側通信確立制御部とを備える。
【００２５】
局側リンク確立制御部は、通信が切断された加入者側端末としての通信断加入者側端末を検出するとともに、通信断加入者側端末との間で論理リンクを再度確立する。
【００２６】
設定判断部は、論理リンクの確立に応答して、局側端末との通信のための初期設定が完了しているか否かを示す初期設定フラグを通信断加入者側端末のフラグ記憶部から読み出し、初期設定フラグから、初期設定の「完了」又は「未完了」を判断する。
【００２７】
初期設定部は、初期設定が「未完了」と判断された場合に、通信断加入者側端末に対する初期設定を行うとともに、初期設定の完了後に初期設定フラグを「完了」に変化させる。
【００２８】
局側通信確立制御部は、初期設定が「完了」と判断された場合に、通信断加入者側端末との間で通信の確立を行う。
【００２９】
この発明の加入者側端末は、局側端末と複数の加入者側端末とを光カプラを介在させて光ファイバで接続し、光通信を行うＧＥＰＯＮシステムに用いられ、初期設定記憶部と、加入者側リンク確立制御部と、フラグ記憶部と、加入者側通信確立制御部とを備える。
【００３０】
初期設定記憶部は、局側端末との通信のための初期設定情報を、給電されている間だけ記憶することができる。
【００３１】
加入者側リンク確立制御部は、局側端末との通信が切断された加入者側端末としての通信断加入者側端末が、局側端末との通信断が復旧した後に、復旧に応答して、局側端末に設けられた局側リンク確立制御部との間で論理リンクを確立する。
【００３２】
フラグ記憶部は、初期設定記憶部への初期設定情報の記憶の完了又は未完了を、加入者側端末の初期設定の「完了」又は「未完了」として表す初期設定フラグを記憶する。
【００３３】
加入者側通信確立制御部は、局側端末の設定判断部がフラグ記憶部から読み出したフラグから初期設定が完了したとの判断に基づいて発生した局側端末からの通信の確立の知らせに応答して、局側端末に設けられた局側通信確立制御部との間で通信の確立を行う。
【００３４】
この発明の通信断からの復旧方法は、局側端末と複数の加入者側端末とを光カプラを介在させて光ファイバで接続し、光通信を行うＧＥＰＯＮシステムにおいて用いられ、局側端末の局側リンク確立制御部が、通信断加入者側端末の加入者側リンク確立制御部との間で論理リンクを再度確立する工程と、論理リンクの確立に応答して、局側端末の設定判断部が、局側端末との通信のための初期設定が完了しているか否かを示す初期設定フラグを通信断加入者側端末のフラグ記憶部から読み出し、初期設定の「完了」又は「未完了」を判断する工程と、初期設定が「未完了」と判断された場合に、「未完了」の判断に応答して、通信断加入者側端末に対する初期設定を行うとともに、初期設定の完了後に初期設定フラグを「完了」に変化させる工程と、局側端末の局側通信確立制御部が、初期設定フラグが「完了」と判断された場合に、「完了」の判断に応答して、通信断加入者側端末の加入者側通信確立制御部との間で通信の確立を行う工程とを備える。
【発明の効果】
【００３５】
この発明は上述のように、加入者側端末が初期設定の「完了」又は「未完了」を表す初期設定フラグをフラグ記憶部に記憶している。そして、通信断加入者側端末が通信断から復旧する際に、局側端末の設定判断部は、初期設定フラグを当該通信断加入者側端末から読み出して、初期設定の必要性を判断する。その結果、この発明によれば、初期設定が既に完了している通信断加入者側端末に対する不必要な初期設定が避けられる。従って、この発明によれば、通信断からの復旧時間を短縮化することが可能となる。
【図面の簡単な説明】
【００３６】
【図１】実施形態のＧＥＰＯＮシステムの構成を概略的に示す模式図である。
【図２】（Ａ）は、ＯＬＴの機能的な構成を示す機能ブロック図であり、（Ｂ）は、ＯＮＵの機能的な構成を示す機能ブロック図である。
【図３】ＧＥＰＯＮシステムの動作を説明するためのフローチャートである。
【図４】ＧＥＰＯＮシステムの動作を説明するためのシーケンス図である。
【発明を実施するための形態】
【００３７】
以下、図面を参照して、この発明の実施形態について説明する。なお、各図は、この発明が理解できる程度に概略的に示したものであり、単なる好適例にすぎない。従って、この発明は以下の実施形態に何ら限定されない。また、各図において、共通する構成要素には同符号を付し、その説明を省略することもある。
【００３８】
（ＧＥＰＯＮシステムの概略）
図１は、この実施形態のＧＥＰＯＮシステムの構成を概略的に示す模式図である。まず、図１を参照して、ＧＥＰＯＮシステムについて説明する。
【００３９】
ＧＥＰＯＮシステム１０は、１台の局側端末１２（以下、単に「ＯＬＴ１２」と称する。）と、複数台の加入者側端末１４１〜１４Ｎ（Ｎは、１〜３２の整数）（以下、単に「ＯＮＵ１４１〜１４Ｎ」と称する。）と、光カプラ１６と、光ファイバ１８とを備えている。
【００４０】
ＯＬＴ１２は、通信基地局内に備えられており、インターネット等の上位ネットワークＮＷからの通信データを光信号に変換して、ＯＮＵ１４１〜１４Ｎに送信する機能を有する。また、ＯＬＴ１２は、ＯＮＵ１４１〜１４Ｎから受信した通信データとしての光信号を電気信号に変換して上位ネットワークＮＷに送信する機能を有する。
【００４１】
ＯＮＵ１４１〜１４Ｎは、互いに同一の構成を有していて、サービス利用者（以下、単に「ユーザ」とも称する。）の宅内に設置されている。ＯＮＵ１４１〜１４Ｎは、インターフェースを介して、パーソナルコンピュータ等のユーザ装置ＰＣや、ＬＡＮなどに接続されている。ＯＮＵ１４１〜１４Ｎは、ユーザ装置ＰＣから入力されたデータを光信号に変換して、ＯＬＴ１２に送信する機能を有する。また、ＯＮＵ１４１〜１４Ｎは、ＯＬＴ１２から送られた光信号を電気信号に変換して、ユーザ装置ＰＣに送信する機能を有する。
【００４２】
なお、図１において、斜線でハッチングを施したＯＮＵ１４２は、通信断加入者側端末に対応する。つまり、一例として、ＯＮＵ１４２は、通信断からの復旧後、初めてＯＬＴ１２との間で通信を行うＯＮＵと仮定して、以下、説明を行う。
【００４３】
また、ここで「通信断」とは、停電や回線異常などの何らかの原因によりＯＮＵとＯＬＴ１２との間の通信が切断された状態を示す。
【００４４】
光ファイバ１８は、ＯＬＴ１２から光カプラ１６までを接続する幹線１８０と、光カプラ１６から各ＯＮＵ１４１〜１４Ｎまでを接続する支線１８１〜１８Ｎとを備えている。光ファイバ１８は、１芯のシングルモード光ファイバであり、単一の伝播モードの光信号を伝送する。光ファイバ１８を介して伝送される光信号は、ＯＬＴ１２→ＯＮＵ１４１〜１４Ｎ（下り光信号）と、ＯＮＵ１４１〜１４Ｎ→ＯＬＴ１２（上り光信号）とで異なる波長を用いた、いわゆる波長多重方式で伝送される。
【００４５】
光カプラ１６は、光ファイバ１８の幹線１８０と支線１８１〜１８Ｎとの分岐点に設けられる。光カプラ１６は、上述した下り光信号をＯＮＵ１４１〜１４Ｎごとに分波するとともに、上り光信号を合波してＯＬＴ１２に向けて伝播する機能を有する。光カプラ１６は、外部からの給電が必要なく、入力された上り光信号及び下り光信号を受動的に合分波する。
【００４６】
（ＯＬＴの説明）
まず、図２（Ａ）を参照して、ＯＬＴ１２の機能的な構成について説明する。図２（Ａ）は、ＯＬＴ１２の機能的な構成を示す機能ブロック図である。
【００４７】
ＯＬＴ１２は、物理層２４と、ＭＡＣ（Ｍｅｄｉａ  Ａｃｃｅｓｓ  Ｃｏｎｔｒｏｌ）副層２６と、ＭＰＣＰ（Ｍｕｌｔｉ  Ｐｏｉｎｔ  Ｃｏｎｔｒｏｌ  Ｐｒｏｔｏｃｏｌ）副層２８と、ＯＡＭ副層３０と、認証部３２と、ＮＮＩ（Ｎｅｔｗｏｒｋ  Ｎｏｄｅ  Ｉｎｔｅｒｆａｃｅ）部３４と、局側リンク確立制御部３６と、初期設定制御部３８と、初期設定記憶テーブル４０と、局側通信確立制御部４２とを備えている。
【００４８】
物理層２４は、送信部２４ａ及び受信部２４ｂを備えている。送信部２４ａは、上位層で生成された電気信号としてのＭＡＣフレームを光信号に変換して、ＯＮＵ１４１〜１４Ｎに向けて送信する機能を有する。受信部２４ｂは、ＯＮＵ１４１〜１４Ｎからの光信号を受信して、電気信号へと変換して、上位層に出力する機能を有する。
【００４９】
ＭＡＣ副層２６は、ＯＳＩ参照モデルのデータリンク層の下位副層に当たり、フレームの送受信や誤り検出などの機能を有する。
【００５０】
ＭＰＣＰ副層２８は、通信断から復旧したＯＮＵ１４２や、ＧＥＰＯＮシステム１０に初めて接続されたＯＮＵが検出された後に、これらのＯＮＵに対して、従来周知のＤｉｓｃｏｖｅｒｙプロセスを実行する。Ｄｉｓｃｏｖｅｒｙプロセスを実行することで、ＯＮＵ１４２に論理リンク識別子（ＬＬＩＤ）を付与するとともに、ＯＬＴ１２とＯＮＵ１４２との間で論理リンクを確立する。さらに、ＭＰＣＰ副層２８は、ＯＮＵ１４１〜１４Ｎの送信タイミングを制御する機能を有し、ＯＮＵ１４１〜１４Ｎからの上り光信号同士の衝突を防止する。
【００５１】
ＯＡＭ副層３０は、ＧＥＰＯＮシステム１０の保守、管理及び監視を行う機能を有する。具体的には、ＯＡＭ副層３０は、ＯＮＵ１４１〜１４Ｎとの間の通信異常を監視したり、ＯＵＮ１４１〜１４Ｎとの間でのループバック試験を制御したりする。さらに、ＯＡＭ副層３０は、Ｄｉｓｃｏｖｅｒｙプロセスが正常に終了して論理リンクが確立された後に、ＯＮＵ１４２のＯＡＭ副層５６（図２（Ｂ））との間で後述するＯＡＭフレームを用いた通信を行い、後述するようにＯＮＵ１４２の初期設定記憶部６８（図２（Ｂ））における初期設定の完了状況を確認する。その結果、必要性が認められれば、ＯＡＭ副層３０は、ＯＮＵ１４２にＶＬＡＮ設定や、Ｒａｔｅ制御関連設定などの通信に必要な諸項目に関して初期設定を行う。
【００５２】
認証部３２は、なりすましを防ぎ、通信セキュリティーを確保する観点から、初期設定が終了したＯＮＵ１４２に対して認証ＩＤと認証パスワードとを用いた認証プロセスを実行する。この認証プロセスに必要な種々の情報等は、図示しない記憶装置から読み出される。なお、認証部３２が行う認証プロセスは、従来公知（例えば、ＩＥＥＥ８０２．１Ｘ標準等）であるので、これ以上の説明を省略する。
【００５３】
ＮＮＩ部３４は、ＯＬＴ１２をインターネット等の上位ネットワークＮＷに接続する機能を有する。
【００５４】
局側リンク確立制御部３６は、通信断となったＯＮＵ１４２を検出するとともに、ＯＮＵ１４２との間で論理リンクを再度確立する機能を有する。より詳細には、局側リンク確立制御部３６は、ＯＡＭ副層３０及びＭＰＣＰ副層２８と協働することにより、ＯＮＵ１４２の通信断と、通信の復旧とを検知する。通信断を検知すると、局側リンク確立制御部３６は、ＭＰＣＰ副層２８及びＯＡＭ副層３０にＤｉｓｃｏｖｅｒｙプロセスの実行命令を出力する。局側リンク確立制御部３６は、ＯＮＵ１４２との間のＤｉｓｃｏｖｅｒｙプロセスが正常に終了して、ＯＮＵ１４２とＯＬＴ１２との間に論理リンクが確立したことをキーとして、初期設定制御部３８へと制御を移管する。
【００５５】
初期設定制御部３８は、設定判断部３８ａと、初期設定部３８ｂとを備えている。
【００５６】
設定判断部３８ａは、論理リンク、すなわちＭＰＣＰ及びＯＡＭリンクの確立後、その確立の通知に応答して、ＯＬＴ１２との通信のための初期設定が完了しているか否かを示す初期設定フラグＦｌｇをＯＮＵ１４２のフラグ記憶部６６（図２（Ｂ））から読み出し、初期設定フラグＦｌｇの値から、初期設定の「完了」又は「未完了」を判断する。
【００５７】
より詳細には、設定判断部３８ａは、ＭＰＣＰ及びＯＡＭリンクの確立の通知に応答して、「初期設定フラグＦｌｇをＯＬＴ１２に向けて送信せよ」との初期設定通知命令を作成し、ＯＡＭ副層３０に出力する。ＯＡＭ副層３０は、入力された初期設定通知命令をＯＡＭフレームへと加工して、ＯＮＵ１４２に向けて送信する。
【００５８】
初期設定通知命令の受信に応答したＯＮＵ１４２は、後述するフラグ記憶部６６（図２（Ｂ））から初期設定フラグＦｌｇを読み出して初期設定フラグ通知を作成し、これをＯＡＭフレームの形でＯＬＴ１２に向けて送信する。
【００５９】
初期設定フラグ通知を受信したＯＡＭ副層３０は、初期設定フラグＦｌｇを抽出し、設定判断部３８ａへと出力する。設定判断部３８ａは初期設定フラグＦｌｇの値から、ＯＮＵ１４２において初期設定が「完了」しているか、「未完了」なのかを判断する。そして、初期設定が完了している場合には、設定判断部３８ａは局側通信確立制御部４２へと制御を移管する。逆に、初期設定が未完了の場合には、設定判断部３８ａは初期設定部３８ｂへと制御を移管する。
【００６０】
初期設定部３８ｂは、初期設定が「未完了」と判断された場合に、この判断に応答して、ＯＮＵ１４２に対する初期設定を行うとともに、初期設定の完了後に初期設定フラグＦｌｇを「完了」に変化させる。
【００６１】
より詳細には、初期設定部３８ｂは、配下の全ＯＮＵ１４１〜１４Ｎの初期設定情報が記憶されている初期設定記憶テーブル４０を検索し、ＯＮＵ１４２に対する初期設定情報を抽出して読み出す。なお、初期設定部３８ｂは、ＯＮＵ１４２の固有の識別番号（例えば、ＭＡＣアドレス等）をキーとして、初期設定記憶テーブル４０の検索を行う。
【００６２】
そして、初期設定部３８ｂは、「初期設定情報に従って初期設定を実行しろ」との初期設定実行命令を作成し、ＯＡＭ副層３０に出力する。初期設定実行命令が入力されると、これに応答して、ＯＡＭ副層３０は、初期設定実行命令をＯＡＭフレームへと加工して、ＯＮＵ１４２に向けて送信する。
【００６３】
初期設定実行命令を受信したＯＮＵ１４２は、初期設定実行命令に含まれている初期設定情報に従って、自らの初期設定を実行する。そして、初期設定が完了すると、これに応答して、ＯＮＵ１４２は、初期設定が完了したことを示す初期設定完了通知を、ＯＡＭフレームの形でＯＬＴ１２に向けて送信する。
【００６４】
このＯＡＭフレームを受信したＯＡＭ副層３０は、このＯＡＭフレームから初期設定完了通知を抽出し、初期設定部３８ｂへと出力する。初期設定完了通知が入力されると、これに応答して、初期設定部３８ｂは、「初期設定フラグＦｌｇを“完了”に変更しろ」とのフラグ変更命令を作成し、ＯＡＭ副層３０に出力する。フラグ変更命令が入力されると、ＯＡＭ副層３０は、フラグ変更命令をＯＡＭフレームへと加工して、ＯＮＵ１４２に向けて送信する。
【００６５】
フラグ変更命令を受信したＯＮＵ１４２は、フラグ記憶部６６（図２（Ｂ））に記憶されている初期設定フラグＦｌｇの値を「未完了」から「完了」へと更新する。そして、初期設定フラグＦｌｇの変更が完了すると、これに応答して、ＯＮＵ１４２は、初期設定フラグＦｌｇの変更が完了したことを示すフラグ変更完了通知を、ＯＡＭフレームの形でＯＬＴ１２に向けて送信する。
【００６６】
このＯＡＭフレームを受信したＯＡＭ副層３０は、このＯＡＭフレームからフラグ変更完了通知を抽出し、初期設定部３８ｂへと出力する。フラグ変更完了通知が入力されると、初期設定部３８ｂは処理を終了して、局側通信確立制御部４２へと制御を移管する。
【００６７】
初期設定記憶テーブル４０は、ＯＬＴ１２の配下にある全てのＯＮＵ１４１〜１４Ｎに関する初期設定情報を記憶するテーブルである。初期設定記憶テーブル４０は、図示しない記憶装置に記憶されている。初期設定記憶テーブル４０には、ＯＮＵ１４１〜１４Ｎに固有の識別番号（例えば、ＭＡＣアドレス等）と、１４１〜１４ＮごとのＬＬＩＤと、種々の初期設定項目とが、対応付けられて記憶されている。
【００６８】
局側通信確立制御部４２は、認証部３２を制御して、ＯＮＵ１４２との間で認証プロセスを実行する機能を有する。そして、認証が成功したならば、ＯＮＵ１４２とＯＬＴ１２との間の通信を確立し、逆に認証が失敗したならば、ＯＮＵ１４２とＯＬＴ１２との間の通信を切断する。
【００６９】
（ＯＮＵの説明）
次に、図２（Ｂ）を参照して、ＯＮＵ１４２の機能的な構成について説明する。図２（Ｂ）は、ＯＮＵ１４２の機能的な構成を示す機能ブロック図である。なお、ＯＮＵ１４１〜１４Ｎは、互いに同様の構成を有しているので、以下の記述ではＯＮＵ１４２を例に挙げて説明する。
【００７０】
なお、この項で説明するＯＮＵ１４２は、既に「背景技術」の項で説明した「揮発性タイプ」とする。つまり、ＯＮＵ１４２は、給電されている間だけ、自ら（ＯＮＵ１４２）の初期設定情報が保持されるが、給電が途切れると初期設定情報が消去されてしまう。
【００７１】
図２（Ｂ）を参照すると、ＯＮＵ１４２は、物理層５０と、ＭＡＣ副層５２と、ＭＰＣＰ副層５４と、ＯＡＭ副層５６と、認証部５８と、ＵＮＩ（Ｕｓｅｒ  Ｎｅｔｗｏｒｋ  Ｉｎｔｅｒｆａｃｅ）部６０と、加入者側リンク確立制御部６２と、加入者側初期設定制御部６４と、フラグ記憶部６６と、初期設定記憶部６８と、加入者側通信確立制御部７０とを備えている。
【００７２】
物理層５０は、送信部５０ａ及び受信部５０ｂを備えている。送信部５０ａは、送信に用いる光信号の波長が異なっている以外は、ＯＬＴ１２の送信部２４ａと同様に構成されている。受信部５０ｂは、受信する光信号の波長が異なっている以外は、ＯＬＴ１２の受信部２４ｂと同様に構成されている。
【００７３】
ＭＡＣ副層５２は、ＯＬＴ１２のＭＡＣ副層２６と同様に、フレームの送受信や誤り検出などの機能を有する。
【００７４】
ＭＰＣＰ副層５４は、ＭＰＣＰ副層２８と同様に、ＯＬＴ１２のＭＰＣＰ副層２８と協働してＤｉｓｃｏｖｅｒｙプロセスを実行して、ＯＬＴ１２との間で論理リンクを確立する。さらにＭＰＣＰ副層５４は、他のＯＮＵ１４１〜１４Ｎの上り光信号との衝突を避けるために、ＯＬＴ１２のＭＰＣＰ副層２８から通知される送信タイミングに従って、ＯＮＵ１４２の上り光信号の送信制御を行う。
【００７５】
ＯＡＭ副層５６は、ＧＥＰＯＮシステム１０の保守、管理及び監視を行う点においてはＯＬＴ１２のＯＡＭ副層３０と同様である。ＯＡＭ副層５６は、これに加えて、Ｄｉｓｃｏｖｅｒｙプロセス終了後に、自ら（ＯＮＵ１４２）の初期設定に関する通信を、ＯＬＴ１２のＯＡＭ副層３０との間で実行する。
【００７６】
認証部５８は、ＯＬＴ１２の認証部３２と協働して、初期設定が完了したＯＮＵ１４２に対して認証ＩＤと認証パスワードとを用いた認証プロセスを実行する。
【００７７】
ＵＮＩ部６０は、ＯＮＵ１４２をユーザ装置ＰＣや、ＬＡＮなどに接続する機能を有する。
【００７８】
加入者側リンク確立制御部６２は、ＯＮＵ１４２が通信断を検知すると、局側リンク確立制御部３６と協働して、Ｄｉｓｃｏｖｅｒｙプロセスを実行する。これにより、ＯＮＵ１４２とＯＬＴ１２との間で論理リンクが確立し、ＯＮＵ１４２にはＬＬＩＤが付与される。加入者側リンク確立制御部６２は、ＯＬＴ１２との間に論理リンクが確立したことをキーとして、加入者側初期設定制御部６４へと制御を移管する。
【００７９】
加入者側初期設定制御部６４は、ＯＬＴ１２の初期設定制御部３８と協働して、自ら（ＯＮＵ１４２）の初期設定に関する動作を実行する。
【００８０】
より詳細には、加入者側初期設定制御部６４には、ＯＬＴ１２の設定判断部３８ａ（図２（Ａ））からＯＡＭフレームの形で送信された初期設定通知命令がＯＡＭ副層５６によりＯＡＭフレームから抽出されて、入力される。
【００８１】
初期設定通知命令が入力されると、これに応答して、加入者側初期設定制御部６４は、フラグ記憶部６６から初期設定フラグＦｌｇを読み出す。そして、加入者側初期設定制御部６４は、読み出した初期設定フラグＦｌｇを含んだ初期設定フラグ通知を作成し、ＯＡＭ副層５６に出力する。初期設定フラグ通知が入力されると、これに応答して、ＯＡＭ副層５６は、初期設定フラグ通知をＯＡＭフレームへと加工して、ＯＬＴ１２に向けて送信する。
【００８２】
初期設定フラグＦｌｇが「完了」であった場合には、これに応答して、加入者側初期設定制御部６４は、処理を終了し、加入者側通信確立制御部７０へと制御を移管する。
【００８３】
それに対して、初期設定フラグＦｌｇが「未完了」であった場合には、ＯＬＴ１２の初期設定部３８ｂ（図２（Ａ））から初期設定実行命令がＯＡＭフレームの形でＯＮＵ１４２に対して送信される。
【００８４】
ＯＡＭフレームの形で送信された初期設定実行命令は、ＯＡＭ副層５６によりＯＡＭフレームから抽出されて、加入者側初期設定制御部６４へと出力される。初期設定実行命令が入力されると、これに応答して、加入者側初期設定制御部６４は、初期設定実行命令から初期設定情報を抽出して、初期設定記憶部６８に対して書き込む。
【００８５】
初期設定情報の書き込みが終了すると、加入者側初期設定制御部６４は、初期設定完了通知を作成し、ＯＡＭ副層５６に出力する。初期設定完了通知が入力されると、これに応答して、ＯＡＭ副層５６は、初期設定完了通知をＯＡＭフレームへと加工して、ＯＬＴ１２に向けて送信する。
【００８６】
初期設定完了通知を受け取ったＯＬＴ１２の初期設定部３８ｂ（図２（Ａ））からは、フラグ変更命令が、ＯＡＭフレームの形でＯＮＵ１４２に対して送信される。ＯＡＭフレームの形で送信されたフラグ変更命令は、ＯＡＭ副層５６によりＯＡＭフレームから抽出されて、加入者側初期設定制御部６４へと出力される。フラグ変更命令が入力されると、これに応答して、加入者側初期設定制御部６４は、フラグ記憶部６６に記憶されている初期設定フラグＦｌｇを「未完了」から「完了」へと更新する。
【００８７】
そして、加入者側初期設定制御部６４は、初期設定フラグＦｌｇの変更が完了したことに応答して、この変更完了を表すフラグ変更完了通知を作成し、ＯＡＭ副層５６に出力する。フラグ変更完了通知が入力されると、これに応答して、ＯＡＭ副層５６は、フラグ変更完了通知をＯＡＭフレームへと加工して、ＯＬＴ１２に向けて送信する。フラグ変更完了通知を送信すると、これに応答して、加入者側初期設定制御部６４は処理を終了し、加入者側通信確立制御部７０へと制御を移管する。
【００８８】
フラグ記憶部６６は、ＯＮＵ１４２の初期設定が完了しているか否かを示す初期設定フラグＦｌｇを記憶する記憶領域である。初期設定フラグＦｌｇの値は、例えば、初期設定が完了している場合には「１」とし、初期設定が未完了の場合には「０」とする。フラグ記憶部６６は、ＯＮＵ１４２のＲＡＭ（Ｒａｎｄｏｍ  Ａｃｃｅｓｓ  Ｍｅｍｏｒｙ）に設けられている。その結果、フラグ記憶部６６は、ＯＮＵ１４２が給電されている間だけ、初期設定フラグＦｌｇの値を保持できる。つまり、給電が途切れると、それまで記憶していた値に関わらず、初期設定フラグＦｌｇは値が「０」に変化する。
【００８９】
初期設定記憶部６８は、例えば、ＶＬＡＮ設定や、Ｒａｔｅ制御関連設定などの初期設定情報を記憶する記憶領域である。初期設定記憶部６８は、ＯＮＵ１４２のＲＡＭに設けられている。その結果、初期設定記憶部６８は、ＯＮＵ１４２が給電されている間だけ、初期設定情報を保持できる。つまり、給電が途切れると、それまで記憶していた情報に関わらず、初期設定情報は初期化されてしまう。すなわち、ＯＮＵ１４２は揮発性タイプのＯＮＵである。
【００９０】
加入者側通信確立制御部７０は、認証部５８を制御して、ＯＬＴ１２との間で認証プロセスを実行する機能を有する。認証が成功したならば、ＯＮＵ１４２とＯＬＴ１２との間の通信を確立する。
【００９１】
（ＧＥＰＯＮシステムの動作）
次に、図２〜図４を参照して、ＧＥＰＯＮシステム１０の動作、すなわち通信断からの復旧方法について説明する。図３は、ＧＥＰＯＮシステム１０の動作を説明するためのフローチャートである。図４は、ＧＥＰＯＮシステム１０の動作を説明するためのシーケンス図である。
【００９２】
まず、ステップＳ１において、ＯＬＴ１２の局側リンク確立制御部３６が、通信が切断されたＯＮＵ１４２を検出後に、ＯＮＵ１４２の加入者側リンク確立制御部６２との間で論理リンク、すなわちＭＰＣＰ及びＯＡＭリンクを確立する（矢印Ａ１）。
【００９３】
より詳細には、ＯＬＴ１２のＯＡＭ副層３０と、ＯＮＵ１４２のＯＡＭ副層５６とがＯＡＭフレームの送受信をすることにより、ＯＬＴ１２は、ＯＮＵ１４２の通信断を検出する。
【００９４】
その後、ＯＬＴ１２がＯＮＵ１４２の復旧を確認すると、ＯＬＴ１２の局側リンク確立制御部３６は、ＭＰＣＰ副層２８にＤｉｓｃｏｖｅｒｙプロセスの実行命令を出力する。これにより、ＯＬＴ１２の局側リンク確立制御部３６に制御されたＭＰＣＰ副層２８と、ＯＮＵ１４２の加入者側リンク確立制御部６２に制御されたＭＰＣＰ副層５４との間でＤｉｓｃｏｖｅｒｙプロセス（ＭＰＣＰ  Ｄｉｓｃｏｖｅｒｙ）が実行される。Ｄｉｓｃｏｖｅｒｙプロセスが正常に終了すると、ＯＮＵ１４２にＬＬＩＤが付与されるとともに、ＯＬＴ１２とＯＮＵ１４２との間にＭＰＣＰリンクが確立する。
【００９５】
このようにしてＭＰＣＰリンクが確立すると、続いて、ＯＬＴ１２の局側リンク確立制御部３６に制御されたＯＡＭ副層３０と、ＯＮＵ１４２の加入者側リンク確立制御部６２に制御されたＯＡＭ副層５６との間でＤｉｓｃｏｖｅｒｙプロセス（ＯＡＭ  Ｄｉｓｃｏｖｅｒｙ）が実行される。このプロセスが終了することにより、ＯＬＴ１２とＯＮＵ１４２との間にＯＡＭリンクが確立する。
【００９６】
上述したＭＰＣＰ  Ｄｉｓｃｏｖｅｒｙ、及びＯＡＭ  Ｄｉｓｃｏｖｅｒｙが完了することで、ステップＳ１のＤｉｓｃｏｖｅｒｙプロセスＡ１が終了し、ＯＬＴ１２とＯＮＵ１４２との間に論理リンクが確立する。
【００９７】
ステップＳ２において、ＯＬＴ１２の設定判断部３８ａが、ＯＮＵ１４２のフラグ記憶部６６から、通信のための初期設定が完了しているか否かを示す初期設定フラグＦｌｇを読み出す。
【００９８】
より詳細には、論理リンクの確立後、ＯＬＴ１２の設定判断部３８ａは、「初期設定フラグＦｌｇを送信せよ」との初期設定通知命令Ａ２をＯＮＵ１４２に送信する。初期設定通知命令Ａ２を受信したＯＮＵ１４２の加入者側初期設定制御部６４は、フラグ記憶部６６から初期設定フラグＦｌｇを読み出して、初期設定フラグ通知Ａ３を作成してＯＬＴ１２に向けて送信する。初期設定フラグ通知Ａ３を受信したＯＬＴ１２の設定判断部３８ａは、初期設定フラグＦｌｇを抽出する。このようにして、ＯＬＴ１２の設定判断部３８ａは、ＯＮＵ１４２の初期設定フラグＦｌｇの値を読み出し、ＯＮＵ１４２の初期設定状況（完了か否か）を知ることができる。
【００９９】
ステップＳ３において、ＯＬＴ１２の設定判断部３８ａは、ＯＮＵ１４２の初期設定の「完了」又は「未完了」を判断する。
【０１００】
より詳細には、ＯＬＴ１２の設定判断部３８ａは、初期設定フラグＦｌｇの値が「１」であれば、ＯＮＵ１４２の初期設定が完了していると判断し、処理をステップＳ６に移行する。
【０１０１】
それに対して、初期設定フラグＦｌｇの値が「０」であれば、ＯＮＵ１４２の初期設定が未完了であると判断し、処理をステップＳ４に移行する。
【０１０２】
ステップＳ４において、ＯＬＴ１２の初期設定部３８ｂは、ＯＮＵ１４２に対する初期設定を行う。
【０１０３】
より詳細には、ＯＬＴ１２の初期設定部３８ｂは、ＤｉｓｃｏｖｅｒｙプロセスＡ１の過程で取得したＯＮＵ１４２に固有の識別番号（例えばＭＡＣアドレス）をキーとして、初期設定記憶テーブル４０を検索し、ＯＮＵ１４２に対する初期設定情報を抽出して読み出す。
【０１０４】
そして、初期設定部３８ｂは、読み出した初期設定情報を含んだ初期設定実行命令Ａ４を作成してＯＮＵ１４２に送信する。初期設定実行命令Ａ４を受信したＯＮＵ１４２の加入者側初期設定制御部６４は、初期設定実行命令Ａ４から初期設定情報を読み出して、初期設定記憶部６８に対して書き込む。初期設定情報の書き込みが終了すると、ＯＮＵ１４２の加入者側初期設定制御部６４は、初期設定完了通知Ａ５を作成し、ＯＬＴ１２に送信する。
【０１０５】
このようにして、ＯＬＴ１２の初期設定部３８ｂは、ＯＮＵ１４２に対する初期設定を完了する。
【０１０６】
ステップＳ５においては、ＯＬＴ１２の初期設定部３８ｂが、ＯＮＵ１４２に記憶されている初期設定フラグＦｌｇを「完了」を示す値へと変化させる。
【０１０７】
より詳細には、初期設定完了通知Ａ５を受信したＯＬＴ１２の初期設定部３８ｂは、初期設定フラグＦｌｇを「完了」へと変化させる旨のフラグ変更命令Ａ６を作成し、ＯＮＵ１４２に送信する。フラグ変更命令Ａ６を受信したＯＮＵ１４２の加入者側初期設定制御部６４は、フラグ記憶部６６に記憶されている初期設定フラグＦｌｇを「未完了」から「完了」へと変更する。
【０１０８】
初期設定フラグＦｌｇの変更が完了すると、ＯＮＵ１４２の加入者側初期設定制御部６４は、初期設定フラグＦｌｇの変更が完了したことを示すフラグ変更完了通知Ａ７を作成してＯＬＴ１２に送信する。フラグ変更完了通知Ａ７を受信したＯＬＴ１２の初期設定部３８ｂは、初期設定部３８ｂにおける処理を終了して、ステップＳ６を実行する局側通信確立制御部４２へと制御を移管する。
【０１０９】
ステップＳ６において、ＯＬＴ１２の局側通信確立制御部４２は、ＯＮＵ１４２の加入者側通信確立制御部７０との間で通信の確立を行う。
【０１１０】
より詳細には、ステップＳ６では、ＯＬＴ１２において局側通信確立制御部４２に制御された認証部３２と、ＯＮＵ１４２において加入者側通信確立制御部７０に制御された認証部５８との間で認証ＩＤと認証パスワードとを用いた認証プロセスが実行される。
【０１１１】
この認証が成功すれば、ＯＬＴ１２とＯＮＵ１４２との間で通信が確立され、認証が失敗すれば、ＯＬＴ１２とＯＮＵ１４２との間の通信が切断される。
【０１１２】
（ＧＥＰＯＮシステムの効果）
この実施形態に示したＧＥＰＯＮシステム、局側端末及び加入者側端末、並びに、通信断からの復旧方法では、ＯＮＵに初期設定が完了しているか否かを示す初期設定フラグＦｌｇを記憶させておき、ＯＮＵを通信断から復旧させる際に、ＯＬＴが初期設定フラグＦｌｇを参照する。これにより、ＯＬＴは、そのＯＮＵに初期設定を行うべきかどうかを事前に判断することができる。その結果、通信断となったＯＮＵの全てに対して初期設定を実施していた従来の技術に比較して、ＯＮＵの初期設定を簡略化して、通信断からの復旧時間を短縮化できる。
【符号の説明】
【０１１３】
１０  ＧＥＰＯＮシステム
１２  局側端末（ＯＬＴ）
１４１〜１４Ｎ  加入者側端末（ＯＮＵ）
１６  光カプラ
１８  光ファイバ
１８０  幹線
１８１〜１８Ｎ  支線
２４，５０  物理層
２４ａ，５０ａ  送信部
２４ｂ，５０ｂ  受信部
２６，５２  ＭＡＣ副層
２８，５４  ＭＰＣＰ副層
３０，５６  ＯＡＭ副層
３２，５８  認証部
３４  ＮＮＩ部
３６  局側リンク確立制御部
３８  初期設定制御部
３８ａ  設定判断部
３８ｂ  初期設定部
４０  初期設定記憶テーブル
４２  局側通信確立制御部
６０  ＵＮＩ部
６２  加入者側リンク確立制御部
６４  加入者側初期設定制御部
６６  フラグ記憶部
６８  初期設定記憶部
７０  加入者側通信確立制御部
【図１】
2011130250.tif 000003
【図２】
2011130250.tif 000004
【図３】
2011130250.tif 000005
【図４】
2011130250.tif 000006